(57)【要約】【課題】  簡単な構造で刷版の着脱が容易にでき、自動的に版を着脱することが可能な版万力装置を提供することを目的とする。【解決手段】  咥え尻側万力１０の下歯１２の上歯１１との間に挿入した咥え尻を、前記版胴１から剥がす脱着具１３を前記咥え尻側万力の下歯１２に設けたことを特徴とする。【選択図】  図３
2010036450.tif 000002
【特許請求の範囲】
【請求項１】
枚葉印刷機の版胴に刷版を装着固定する咥え側万力と咥え尻側万力とを備えた版万力装置において、
前記咥え尻側万力の下歯の上歯との間に挿入した前記刷版の咥え尻を、前記版胴から剥がす脱着具を前記咥え尻側万力の下歯に設けたことを特徴とする枚葉印刷機の版万力装置。
【請求項２】
前記脱着具は、前記刷版を起こす可動片と前記可動片を押し上げる圧縮ばねとからなることを特徴とする請求項１に記載の枚葉印刷機の版万力装置。
【請求項３】
前記咥え尻側万力は版尻側を前記版胴の表面に対して版尻側を折り曲げていない刷版形状の版挿入部を備えることを特徴とする請求項１または請求項２に記載の枚葉印刷機の版万力装置。
【発明の詳細な説明】
【技術分野】
【０００１】
本発明は、枚葉印刷機の版万力装置に関し、特に、枚葉印刷機において、版胴に装着固定する刷版の咥え尻側万力を改良した版万力装置に関する。
【背景技術】
【０００２】
枚葉印刷機においては、版胴に刷版（以下、簡単のために版という）を装着固定するために版万力装置が設けられている。版万力装置は、咥え側万力と、咥え尻側万力により構成されている。
この場合、刷版の咥え尻の形状として、その端部を直角、或いは円弧状に折り曲げたもの、またはそのままの形状のもの（咥え尻を加工しないもの）などが使用される。
例えば、刷版の咥え尻を直角に折り曲げた形状のものとして、上歯、下歯の咥え面に版の抜けに対する抵抗を増すような版抜け抵抗増大手段を設けて版ずれを防ぐ版万力装置が提案されている（特許文献１参照）。これによって、版の取り付け位置のずれを防ぐことができるとしている。
【０００３】
また、咥え尻をそのままの形状のもの（咥え尻を加工しないもの）の例として、咥え尻側万力のゼロ設定を基準位置設定部材で行うとともに微調整用ねじでカムの微調整を行う版万力装置が提案されている（特許文献２参照）。これによって、咥え尻側万力の基準位置が容易に再現でき、版の交換時間を大幅に短縮することができるとしている。
【特許文献１】特開２０００−２４６８７０号公報
【特許文献２】特公平６−７５９６２号公報
【発明の開示】
【発明が解決しようとする課題】
【０００４】
しかしながら、特許文献１に示されたものは、版の咥え尻側をほぼ直角にプリベンドして版万力装置に挿入する必要があり、そのために、版の咥え尻側を折り曲げるベンダー装置を必要とする。また、特許文献２に示されたものは、版の装着精度を向上するもので、版の自動着脱は考慮されていない。
【０００５】
本発明は、上記に鑑みて提案されたものであって、簡単な構造で刷版の着脱が容易にでき、自動的に版を着脱することができ、かつ刷版の咥え尻側をプリベンドするベンダー装置を必要としない版万力装置を提供することを目的とする。
【課題を解決するための手段】
【０００６】
上記課題を解決するため、本発明の版万力装置は、枚葉印刷機の版胴に刷版を装着固定する咥え側万力と咥え尻側万力とを備えた版万力装置において、前記咥え尻側万力の下歯の上歯との間に挿入した前記刷版の咥え尻を、前記版胴から剥がす脱着具を前記咥え尻側万力の下歯に設けたことを特徴とする。
【０００７】
ここで、前記脱着具は、前記刷版を起こす可動片と前記可動片を押し上げる圧縮ばねとからなることを特徴とする
【０００８】
さらに、上記課題を解決するため、前記咥え尻側万力は版尻側を前記版胴の表面に対して版尻側を折り曲げていない刷版形状の版挿入部を備えることを特徴とする。
【発明の効果】
【０００９】
本発明は、以上のように構成するので、版を取り外す場合には、咥え尻側万力の上歯を開くことにより、自動的に脱着具が動作して万力から版尻版を外すことができる。また、この脱着具は、版が固定されている間、下歯側から上歯側に対してばねの圧力を掛け続けるので、上歯と下歯の間の摩擦抵抗を増すことができ、版のずれを防ぐことができる。さらに、咥え尻側万力の咥え部を版尻側を折り曲げていない版形状にしているので、比較的簡単廉価な構成で、刷版の着脱が容易で、自動的に版を着脱することができる。また、刷版の咥え尻側をプリベンドするベンダー装置を必要としない版万力装置を提供することができる。
【発明を実施するための最良の形態】
【００１０】
以下、本発明の実施形態について図面に基づいて詳述する。
【００１１】
図１は、本発明の枚葉印刷機の版万力装置が用いられる枚葉印刷機の印刷ユニットの版胴周辺の断面図である。また、図２および図３は、本発明の版万力装置の一実施形態の咥え尻側万力の構成と動作を示す説明図で、図２は版の咥え尻側が咥えられた状態、図３は版の咥え尻側が開放された状態である。
図１において、符号１は版胴、符号２はブランケット胴、符号３は刷版、符号１０は咥え尻側万力、符号２０は咥え側万力、符号２１は咥え側万力２０の上歯、符号２５は咥え側万力２０の開閉用カム軸、符号３０は刷版挿入具、符号３１および３２はコロ、符号４０は版胴１にインキを提供するインキローラ群、符号５１はエアシリンダー、符号５２は可動コロ、符号５３はアームである。
【００１２】
また、図２および図３において、符号１１は上歯、符号１２は下歯、符号１３は脱着具、符号１４は脱着具１３の可動片、符号１５は脱着具１３の脱着ばね、符号１６は開閉用カム軸、符号１７は版張り用カム軸、符号１８は版張り用ばね、符号１９はピンである。
【００１３】
図１および図２に沿って、本発明の版万力装置の版取り付け動作について説明する。
まず、刷版挿入具３０を用いて版３の先端を咥え側万力２０の咥え部に挿入する。このとき、コロ３１、３２が版３のガイドになる。
次いで、咥え側万力２０の開閉用カム軸２５を回転させて、咥え側万力２０の上歯２１を閉じて、版３の先端を咥え側万力２０で咥える。
【００１４】
続いて、版３の先端を咥えた状態で版胴１を図１に示した矢印の方向に反時計回りに回転させる。このとき、ブランケット胴２と可動コロ５２とが版３を抑える役割を果たす。可動コロ５２は、エアシリンダー５１の動作によって版３と接触する場所に位置して版３をガイドする。
版胴１が版３の咥え尻が可動コロ５２の位置まで回転した時点で、版胴１の回転を停止させる。
ついでエアシリンダー５１を作動させ、その軸を縮ませてアーム５３を介して可動コロ５２を図２で右方向に移動させて版３の咥え尻を咥え尻側万力１０の咥え部に挿入させる。ここでは、駆動源をエアシリンダーで表示したが、カム、モーター等を使用することも可能である。
そうして、開閉用カム軸１６を回転させて、図２に示すように、カム軸１６の円周部のカム面を上歯１１の後部に当接させることで、咥え尻側万力１０の上歯１１を閉じて、版３の咥え尻側を脱着具１３を介して押さえて、咥え尻側万力１０に固着させる。
【００１５】
さらに、版３を固着させた状態で、版張り用カム軸１７を回転させ、図２では、カム軸１７の平面部が当接しているピン１９の頭に、カム軸１７の円周部のカム面を当接させるようにすることで、咥え尻側万力１０全体を版張り用ばね１８に抗して図２の右方向に移動させ、咥えた版３に所定の張力を与えることができる。
【００１６】
次に、図３に沿って版の取り外し動作について説明する。
開閉用カム軸１６を回転させて、カム軸１６の平坦面を上歯１１の後部に当接させるようにして、図３に示すように咥え尻側万力１０の上歯１１を開く。
上歯１１を開くことにより、押し圧が解除されて脱着ばね１５が伸び、脱着具１３の可動片１４を押し上げ、版３の咥え尻側を押し上げる。
これによって、図３に示したように、版３の咥え尻側が版胴１から離れるとともに、版３が版胴１から剥がれて可動コロ５２に接触した左側の位置に移動する。
版３が版胴１から離れた時点で、版胴１を図３で時計方向に回転させると、版３はその弾発力で自動的に版胴１から脱着される。
【００１７】
なお、咥え尻側万力１０の咥え部を折り曲げていない版を咥え込める形状にしているので、版３をそのまま使うことができ、ベンダー装置を必要としない。さらに、脱着具１３は比較的簡単な構成で、装置を簡単かつ廉価に製造することができる。
【００１８】
図４に、脱着具の他の実施形態を示す。
この実施形態の脱着具６０は、脱着ばね６３の上部に上板６２を設け、この上板６２の設けられた突起で可動片６１を押し上げる構成としている。このような構成をとることにより、脱着ばね６３と可動片６１の位置ずれなどがあまり問題にならなくなり、脱着ばね６３として多様な形式、形状のばねを用いることができる。この場合、可動片６１を省略することは可能である。
【００１９】
本発明は、以上のように構成するので、枚葉印刷機において、版を外す際に自動的に脱着具が働いて万力から版尻を外して刷版を版胴から剥がすことができる。ただし、咥え尻側万力の咥え部を版尻側を直角に折り曲げた版にも用いることができるように、設計することも簡単にできる。
【産業上の利用可能性】
【００２０】
以上に述べたように、本発明によれば、刷版の着脱が容易で、自動的に版を着脱することができ、かつ刷版の咥え尻側をプリベンドするベンダー装置を必要としない版万力装置を廉価に提供することができる。
したがって、本発明は、枚葉印刷機を用いる印刷業界や印刷機の製造業界で広範な利用の可能性を有するものである。
【図面の簡単な説明】
【００２１】
【図１】本発明の版万力装置が用いられる印刷ユニットの版胴周辺の断面図である。
【図２】本発明の版万力装置の咥え尻側万力の構成と動作を示す説明図である。
【図３】本発明の版万力装置の咥え尻側万力の構成と動作を示す説明図である。
【図４】本発明で用いられる脱着具の他の実施形態を示す説明図である。
【符号の説明】
【００２２】
１    版胴
２    ブランケット胴
３    刷版
１１    上歯
１２    下歯
１３    脱着具
１４    脱着具の可動片
１５    脱着具の脱着ばね
１６    開閉用カム軸
１７    版張り用カム軸
１８    版張り用ばね
１９    ピン
２０    咥え側万力
２１    咥え側万力の上歯
２５    咥え側万力の開閉用カム軸
３０    刷版挿入具
３１、３２    コロ
４０    インキローラ群
５１    エアシリンダー
５２    可動コロ
５３    アーム
６０    脱着具
６１    可動片
６２    上板
６３    脱着ばね
【図１】
2010036450.tif 000003
【図２】
2010036450.tif 000004
【図３】
2010036450.tif 000005
【図４】
2010036450.tif 000006